(57)【特許請求の範囲】
【請求項１】
四角形の割出し可能ドリルインサート（１００）であって、
略平坦な上面（１０１）と、
正の切削形状を形成するように前記上面（１０１）より小さくされた底面（２０１）と、
前記上面および底面（１０１および２０１）と隣接してドリルインサート（１００）の４つの側部を形成する側面（１０２）と、
前記側面（１０２）と前記上面（１０１）との交差部に形成された４つの同一の切れ刃（１０３）であって、
各切れ刃（１０３）が、
前記ドリルインサート（１００）のコーナー部分（１０２ａ）の第１の所定の半径の凹状湾曲部分刃（１０４）と、
凸状湾曲を形成する第２の所定の半径の第１の先端部分（１０５）を介して前記凹状湾曲部分刃（１０４）に接続された第１部分刃（１０６）と、
第１の移行刃（１０７）を介して前記第１部分刃（１０６）に接続された第２部分刃（１０８）であって、前記ドリルインサート（１００）の仮想内接円（３０１）に対して接線方向に向けられ、前記第１の移行刃（１０７）が前記第１および第２部分刃（１０６および１０８）と凹状湾曲を形成する第２部分刃（１０８）と、
第２の移行刃（１０９）を介して前記第２部分刃（１０８）に接続された第３部分刃（１１０）であって、前記第２の移行刃（１０９）が前記第２および第３部分刃（１０８および１１０）と凸状湾曲を形成する第３部分刃（１１０）と、
前記第３部分刃（１１０）を、隣接する切れ刃（１０３）の凹状湾曲部分刃（１０４）と接続する第３の所定の半径の第２の先端部分（１０５）と、
を含む、４つの同一の切れ刃（１０３）と、
前記ドリルインサート（１００）をドリル本体（５０２）に取り付けるために前記ドリルインサート（１００）の前記上面および前記底面（１０１および２０１）の間に伸びる、前記ドリルインサート（１００）の中心の通し穴（１１１）と、
前記ドリルインサート（１００）の底面縁部（２０１）に設けられた面取り部分（１１３）と、
を含む、ドリルインサート（１００）。
【請求項２】
前記凹状湾曲部分刃（１０４）の前記第１の所定の半径が、０．４ｍｍ〜１００ｍｍの範囲である、請求項１に記載のドリルインサート（１００）。
【請求項３】
前記第１部分刃（１０６）が直線状であり、かつ前記通し穴（１１１）の中心軸に直交する平面に対して０°〜５°の範囲の角度で傾けられている、請求項１に記載のドリルインサート（１００）。
【請求項４】
前記第２および第３部分刃（１０８および１１０）が「Ｖ」形状を形成し、前記第２および第３部分刃（１０８および１１０）間の角度が１４０°〜１７９°の範囲である、請求項１に記載のドリルインサート（１００）。
【請求項５】
前記第２の所定の半径および第３の所定の半径がそれぞれ０．１ｍｍ〜１０ｍｍの範囲である、請求項１に記載のドリルインサート（１００）。
【請求項６】
前記第１の移行刃（１０７）によって形成される凹曲線が、０．１ｍｍ〜５ｍｍの範囲の半径を有する、請求項１に記載のドリルインサート（１００）。
【請求項７】
前記第２の移行刃（１０９）によって形成される凸曲線が、０．１ｍｍ〜１０ｍｍの範囲の半径を有する、請求項１に記載のドリルインサート（１００）。
【請求項８】
前記通し穴（１１１）が、挿入ねじ（６０１）を収容するために受口部分（１１１ａ）と一連の段付部分（１１１ｂ）とを含む、請求項１に記載のドリルインサート（１００）。
【請求項９】
前記面取り部分（１１３）が、前記通し穴（１１１）の中心軸に対して３０度の角度に設けられた、請求項１に記載のドリルインサート（１００）。
【請求項１０】
前記上面（１０１）に、受口部分（１１１ａ）の周囲に突出部（１１２）が設けられる、請求項１に記載のドリルインサート（１００）。
【請求項１１】
前記ドリルインサート（１００）の側面（１０２）のそれぞれのコーナー部分（１０２ａ）は、前記通し穴（１１１）の中心軸に対して０〜９度の範囲の角度を形成する、請求項１に記載のドリルインサート（１００）。
【請求項１２】
先端に設けられた中心ポケット（６０２）と、少なくとも１つの周辺ポケットと、を有し、前記中心ポケット（６０２）に請求項１に記載のドリルインサート（１００）を、前記周辺ポケットにインサートを含むドリル本体（５０２）。
【請求項１３】
前記ドリルインサート（１００）は、前記４つの切れ刃（１０３）のうちの１つにおける第１部分刃（１０６）が、同じ切れ刃（１０３）の第３部分刃（１１０）よりも半径方向内側に位置する、請求項１２に記載のドリル本体（５０２）。
【発明の詳細な説明】
【技術分野】
【０００１】
本開示の実施形態はドリルインサートに関し、特に実施形態は、ドリル本体の中央ポケット用の四角形の割出し可能ドリルインサートに関する。
【背景技術】
【０００２】
ドリル工具は、金属工作物に円筒状の穴をあけるために使用される。ドリル工具の切削または穿孔動作は、工具ホルダと選択的に工具ホルダに装着されるドリルインサートとの組合せなど、細長い、実質的に円筒状のドリル工具によって実行することができる。次にそのような構成は、工具ホルダの一端が駆動装置に確実に取り付けられ駆動装置がホルダをその長手軸の周りで回転させる使用において使用することができる。細長い工具ホルダの反対端部において、切削インサートが、切削される材料と係合する。あるいは、ホルダを旋盤の受心台などに位置付けるなどして、工作物をホルダおよび切削インサートに対して回転させてもよい。さらに、工具および工作物を互いに回転させてもよい。切削インサートの使用により、切削面が摩耗すると工具全体の代わりにインサートを即座に換えることが可能になり、また、ドリルアセンブリ全体でなく単にインサートを換えることによって、様々な異なる穿孔作業に、１つの工具を使用することが可能になる。
【０００３】
割出し可能ドリルインサートは、インサートの全側面を順々に使用できるため、穿孔において非常に重要な役割を演じる。さらに、インサートの使用により、製造準備時間および組立時間が低減され得る。
【０００４】
四角形の割出し可能ドリルインサートの使用は当該技術分野で知られている。しかしながら、当該技術分野のインサートは、工作物を切削するために４つの直角の切れ刃を含む。直角の切れ刃を使用するとドリルがその中心から横に流れる。力が正確に中心に作用せず、ドリル本体全体に作用するためである。ドリルの横流れはさらに、実際の使用において適切でない狭い壁をもたらす。さらに、従来の割出し可能ドリルインサートは、ドリル穴の直径が所定値未満の場合、ドリル穴の表面を摩擦する。
【０００５】
さらに、従来の四角形の割出し可能ドリルインサートが、ドリルインサートの一部がドリル本体の中心と交差するように取り付けられるとき、逆切削動作を生じる。穴あけ作業中、逆切削動作が原因でドリルインサートのコーナー部分が欠ける可能性がある。
【発明の概要】
【発明が解決しようとする課題】
【０００６】
上記の欠点を考慮すると、４つの同一の切れ刃を有するドリルインサートを開発することが必要である。
【課題を解決するための手段】
【０００７】
本開示で特許請求されるドリルインサートの提供により、従来技術の欠点は克服され、さらなる有利性が提供される。
【０００８】
本開示の技術を通して、さらなる特徴および有利性が実現される。本開示の他の実施形態および態様は、本明細書に詳細に記載され、特許請求される開示の一部と見なされる。
【０００９】
本開示は、四角形の割出し可能ドリルインサートを提供し、それは、略平坦な上面および底面と、上面および底面と隣接してドリルインサートの４つの側部を形成する側面と、を含み、底面は正の切削形状を形成するように上面より小さい。側面と上面との交差部に形成された４つの同一の切れ刃であって、各切れ刃は、インサートのコーナー部分の所定の半径の凹状湾曲部分刃と、ドリル本体の軸の方に向けられ、負の傾斜を有する第１部分刃であって、凸状湾曲を形成する所定の半径の先端部分を介して凹状湾曲部分刃に接続された第１部分刃と、移行刃を介して第１部分刃に接続された第２部分刃であって、インサートの仮想内接円に対して接線方向に向けられ、前記移行刃が前記第１および第２部分刃と凹状湾曲を形成する第２部分刃と、移行刃を介して第２部分刃に接続された第３部分刃であって、前記移行刃が前記第２および第３部分刃と凸状湾曲を形成する第３部分刃と、第３部分刃を後続する切れ刃の凹状湾曲部分刃と接続する所定の半径の先端部分とを含む。ドリルインサートはまた、ドリルインサートの中心に、インサートをドリル本体に取り付けるためにドリルインサートの上面から底面に伸びる通し穴と、ドリルインサートの底面縁部に設けられた面取り部分とを含む。
【００１０】
本開示の一実施形態では、前記ドリルインサートはドリル本体の中央ポケットに取り付けられる。
【００１１】
本開示の一実施形態では、凹状湾曲部分刃の半径は、約０．４ｍｍ〜約１０ｍｍの範囲である。
【００１２】
本開示の一実施形態では、第１部分刃は直線状であり、かつインサートの水平基準軸に対して約０°〜約５°の範囲の角度で傾けられる。
【００１３】
本開示の一実施形態では、第２および第３部分刃は「Ｖ」形状を形成し、第２および第３部分刃間の角度は約１４０°〜約１７９°の範囲である。
【００１４】
本開示の一実施形態では、先端部分の半径は約０．１ｍｍ〜約１０ｍｍの範囲である。
【００１５】
本開示の一実施形態では、凹状移行刃の半径は、約０．１ｍｍ〜約５ｍｍの範囲である。
【００１６】
本開示の一実施形態では、凸状移行刃の半径は、約０．１ｍｍ〜約１００ｍｍの範囲である。
【００１７】
本開示の一実施形態では、通し穴は、挿入ねじを収容するために受口部分と一連の段付部分とを含む。
【００１８】
本開示の一実施形態では、面取り部分の角度はドリルインサートの厚さに、および好ましくはドリルインサートの垂直軸に対して約３０度に依存する。
【００１９】
本開示の一実施形態では、上面に、受口部分の周囲に突出部が設けられる。
【００２０】
本開示の一実施形態では、インサートの側面のコーナー部分は、インサートとポケットの間の間隙を拡げるために、ドリルインサートの垂直軸に対して約０〜約９度の範囲の角度を形成する。
【００２１】
上記の概説は単なる例示であり、限定する意図はない。上に記載した例示的な態様、実施形態および特徴に加えて、さらなる態様、実施形態および特徴が、図面および以下の詳細な記載を参照することにより明らかになるであろう。
【００２２】
本開示の新規特徴および特性を添付の請求項に記載する。しかしながら、本開示自体、ならび好ましい使用形態、そのさらなる目的および有利性は、付随の図面と組み合わせて読まれるとき、例示的実施形態の以下の詳細な記載を参照することによって最もよく理解されるであろう。次に１つまたは複数の実施形態を、単なる例として、付随の図面を参照して記載する。図面中、類似の参照番号は類似の要素を表す。
【図面の簡単な説明】
【００２３】
【図１】本開示のドリルインサートの上面斜視図を示す。
【図２】本開示のドリルインサートの底面斜視図を示す。
【図３】本開示のドリルインサートの上面図を示す。
【図４】本開示のドリルインサートの側面図を示す。
【図５】本開示のドリルインサートをその中央ポケットに有し、従来のインサートをその周辺ポケットに有するドリル本体を示す。
【図６】本開示のドリルインサートをドリル本体の中央ポケットに有するドリル工具の分割図を示す。
【図７】本開示の一実施形態としてドリルインサートの上面斜視図を示す。
【図８】本開示の一実施形態としてドリルインサートの上面図を示す。
【発明を実施するための形態】
【００２４】
図面は単に例示を目的として本開示の実施形態を示す。当業者であれば、本明細書に記載した開示の原理から逸脱することなく、本明細書に示した構造および方法の代替実施形態を利用できることを、以下の記載から容易に認識するであろう。
【００２５】
前述の部分は、以下に続く本開示の詳細な記載をより深く理解し得るように、本開示の特徴および技術的有利性を広く概説した。本開示の請求項の主題を形成する本開示のさらなる特徴および有利性を本明細書において以下に記載する。開示する概念および特定実施形態は本開示の同じ目的を実行すべく他の構成を修正または設計するための基礎として利用できることは当業者に認識されよう。また、そのような等価の構成は、添付の請求項に記載したような本開示の趣旨および範囲から逸脱しないことも当業者に理解されよう。本開示の特性であると考えられる新規特徴は、その組織および作業方法の両方に関して、さらなる目的および有利性と共に、添付図面と関連させて考慮するとき、以下の記載からより深く理解されるであろう。しかしながら各図面は、単に例示および説明を目的として提供され、本開示の境界を定義する目的はないことは、明確に理解されたい。
【００２６】
発明の背景で言及した欠点を克服するために、四角形の割出し可能ドリルインサートが開発された。本開示のドリルインサートは、力をドリル本体の中心に向ける複数の部分刃を有する４つの同一の切れ刃からなり、穴あけ作業の間、ドリル本体のその中心からの横流れを防止する一助となる。
【００２７】
図１および図２は、ドリルインサート（１００）の上面および底面斜視図を示す例示的実施形態である。前記ドリルインサート（１００）は上面（１０１）および底面（２０１）と、上面および底面（１０１および２０１）に隣接する側面（１０２）とを含む。ドリルインサート（１００）の上面（１０１）は、ドリルインサート（１００）とドリル本体（５０２）［図５］のポケット（６０２）［図６］との間に正の間隙を提供するように底面（２０１）より大きい。側面（１０２）の４つの刃が４つの同一の切れ刃（１０３）から上面（１０１）と交差し、各切れ刃は、ドリルインサート（１００）のチッピングを回避し、かつドリル本体（５０２）のその中心からの横流れを防止すべく力をドリル軸（５０４）へ向けるために複数の部分刃（１０４、１０６、１０８および１１０）に分割される。
【００２８】
０．４ｍｍ〜１００ｍｍの範囲の半径の凹状湾曲部分刃（１０４）が、ドリルインサート（１０４）の４つのコーナー部分（１０２ａ）に設けられる。前記凹状湾曲部分刃（１０４）は、ドリルインサート（１００）の一部がドリル中心（５０４）［図５］と交差し、従って逆切削動作を引き起こすようにドリルインサート（１００）が位置付けられるときに発生するドリルインサート（１００）のチッピングを防止する。
【００２９】
第１部分刃（１０６）が、０．１ｍｍ〜１０ｍｍの範囲の半径の先端部分（１０５）を介して凹状湾曲部分刃（１０４）と接合される。前記先端部分（１０５）は第１部分刃（１０６）および凹状部分刃（１０４）と凸状湾曲を形成する。第１部分刃（１０６）は直線状であり、かつ負の傾斜でドリル軸（５０４）の方へ向けられる。さらに、第１部分刃（１０６）は、ドリルインサート（１００）の水平軸（Ｂ−Ｂ）に対して、約０°〜約５°の範囲の、好ましくは約０．４°の角度を形成する。第２部分刃（１０８）が、第１および第２部分刃（１０６および１０８）と凹状湾曲を形成する約０．１ｍｍ〜約５ｍｍの範囲の半径の移行刃（１０７）を介して第１部分刃（１０６）に接続される。第２部分刃（１０８）は、インサート（１００）の仮想内接円（３０１）に対して接線方向に向けられる。第３部分刃（１１０）が、第２および第３部分刃（１０８および１１０）と凸状湾曲を形成する約０．１ｍｍ〜約１０ｍｍの範囲の半径の移行刃（１０９）を介して第２部分刃（１０８）に接続される。第２および第３部分刃（１０８および１１０）は、それらが移行刃（１０９）によって接続されるとき、上下を逆にされた屋根の形状、すなわち「Ｖ」形状を形成する。第２および第３部分刃（１０８および１１０）間の角度は約１４０°〜約１７９°の範囲である。切れ刃（１０３）は、約０．１ｍｍ〜約１０ｍｍの範囲の半径のコーナー先端部分（１０５）をさらに含み、コーナー先端部分は１つの切れ刃（１０３）の第３部分刃（１１０）を、後続の切れ刃（１０３）の凹状湾曲部分刃（１０４）と接続する。
【００３０】
ドリルインサート（１００）はさらに、インサート（１００）をドリル本体（５０２）に取り付けるためにドリルインサート（１００）の上面（１０１）から底面（２０１）に伸びる穴（１１１）を含む。受口部分（１１１ａ）が上面（１０１）の穴（１１１）の周囲に設けられ、および一連の段付部分（１１１ｂ）が穴（１０９）の周囲に設けられ、ドリルインサート（１００）をドリル本体（５０２）のポケット（６０２）に取り付けるための挿入ねじ（６０１）を収容する。一実施形態では、突出部（１１２）がドリルインサート（１００）の上面（１０１）に設けられる。前記突出部（１１２）は、穴あけ作業から出る削り屑の切断を容易にし、かつ削り屑の排出を促すように削り屑をドリル本体（５０２）の螺旋溝部分（５０３）へ向ける。
【００３１】
ドリルインサート（１００）の側面（１０２）は、ドリルインサートをドリル本体（５０２）のポケット（６０２）の内側に固定するために複数の突出部を含む。突出部はポケット（６０２）の壁と接触し、ポケット（６０２）の内側のドリルインサート（１００）の回転運動を制止する。さらに、側面（１０２）のコーナー部分（１０２ａ）はドリルインサート（１００）の垂直軸（Ａ−Ａ）に対して約９°の角度を成し、インサート（１００）とポケット（６０２）の間の間隙を拡げる。この間隙は一次間隙であり、インサート（１００）をドリル本体のポケット（６０２）から簡単に取り外すのに役立つ。
【００３２】
図３および図４はドリルインサート（１００）の上面図および前面図を示す例示的実施形態である。切れ刃（１０３）の複数の部分刃（１０４、１０６、１０８および１１０）への分割が、ドリルインサート（１００）の上面図において明確に示されている。凹状湾曲部分刃（１０４）は、インサートの一部がドリル軸（５０４）と交差するとき、ドリルインサートのチッピングを防止する。移行刃（１０７および１０９）を有する部分刃（１０６、１０８および１１０）は、力をドリル本体（５０２）の中心、すなわちドリル軸（５０４）に向け、それによりドリル（５００）のその中心からの横流れが防止される。部分刃（１０４、１０６、１０８および１１０）および移行刃（１０７および１０９）は、インサートの様々なサイズを受け入れるように内接円直径（３０１）が増大するにつれてそれらのサイズまたは長さを変えるように、従ってサイズが増大するにつれ比例して変化するように結合している。内接円（３０１）の直径はドリル穴の直径のそれぞれの変化とともに変化し、それは５ｍｍ〜２０ｍｍの範囲である。
【００３３】
さらに、ドリルインサート（１００）の底側縁部において、図４に示されるように底部（２０１）に向かって面取り部（１１３）が設けられ、インサート（１００）の二次間隙を拡げる。面取り部（１１３）の角度はドリルインサート（１００）の垂直軸（Ａ−Ａ）に対して３０°であり、前記角度はドリルインサート（１００）の厚さの変化とともに変化し得る。面取り部（１１３）によりドリル本体（５０２）のポケット（６０２）を掘ることが防止され、それにより今度はドリルインサート（１００）が作動中のときにポケット（６０２）の摩耗が排除される。また面取り部（１１３）は、ドリル穴の直径が所定の制限未満のとき、ドリルインサート（１００）によるドリル穴の表面の研磨を排除する。
【００３４】
一実施形態では、ドリルインサート（１００）はドリル本体（５０２）の周辺ポケット（６０２）の中で使用される。切れ刃（１０３）のコーナー部分（１０８）が、ドリル本体（５０２）の内側ポケット（６０２）内のインサートによって作製される穴を拡大する。
【００３５】
図５は本開示のドリルインサート（１００）をその中心ポケット（６０２）に、およびインサートをその周辺ポケットに有するドリル工具（５００）を示す例示的実施形態である。ドリル工具（５００）は所定長さのシャンク（５０１）と円筒基本形状のドリル本体（５０２）とを含む。ドリル本体（５０２）は、ドリルインサートを収容するための一対のインサートポケットを、一方をその中心に、他方をその周辺に含む。ドリル本体（５０２）はまた、穴あけ作業中に生成される削り屑を排出するためにその周囲に螺旋溝（５０３）を含む。穴あけ作業中に生成される削り屑はドリルインサート（１００）の突出部（１１２）によって切断され、廃棄のためドリル本体（５０２）の螺旋溝（５０３）を介して案内される。一実施形態では、内側インサートおよび外側は、穴あけ作業中に発生する力がドリル軸（５０４）に向けられ、それによりドリル本体（５０２）のその中心からの横流れが防止されるように、ドリル本体（５０２）に位置付けられる。
【００３６】
本開示の一実施形態では、穴あけ作業中、内側インサートが最初に適度な切削力を工作物に適用し、工作物に初期穴を形成する。さらに、内側ドリルインサート（１００）の一部が外側インサートのコーナー先端部分を受け入れ、従って穴あけ作業中、２つのコーナーの使用を防止する。
【００３７】
図６は本開示のドリルインサート（１００）をドリル本体（５０２）の中央ポケット（６０２）内に有するドリル工具（５００）の分割図を示す例示的実施形態である。ドリルインサート（１００）はドリル本体（５０２）の中央ポケット（６０２）の中に位置付けられている。中央ポケット（６０２）の形状はドリルインサート（１００）の形状と一致している。さらに、中央ポケット（６０２）は、挿入ねじ（６０１）を使用してドリルインサート（１００）をドリル本体（５０２）と締結するためのねじ穴を含む。挿入ねじ（６０１）は、一連の段付部分と、ドリルインサート（１００）の通し穴（１１１）を通過してドリルインサート（１００）を周辺ポケット（６０２）の内側に締結するねじ部分とを含む。さらに、従来のドリルインサートがドリル本体（５０２）の周辺ポケット（６０２）に取り付けられる。
【００３８】
例示的実施形態として、図７および図８はドリルインサートの上面斜視図および上面図を示す。ドリルインサート（１００）の凹状湾曲部分刃１０４の半径は、０．４〜１００ｍｍまで変化する。湾曲部分刃の半径は、図７に示されるように１０ｍｍに最適化され、従って凹状湾曲部分刃（１０４）は平坦になる傾向があり、および部分刃（１０６）はその長さが低減する。従って、側面のコーナー部分（１０２ａ）は、より大きい湾曲面を形成する。
【００３９】
有利性
本開示は、四角形の割出し可能ドリルインサートを提供し、このドリルインサートでは、４つ全ての切れ刃が穴あけに使用される、すなわち１つの刃が摩耗したときに次の刃を切削に使用することができる。
【００４０】
本開示は、四角形の割出し可能ドリルインサートを提供し、このドリルインサートは、ドリルインサートの４つのコーナー部分に凹状の湾曲を有し、それにより、インサートの一部がドリル軸と交差するようにインサートが位置付けられる場合、穴あけ作業中、コーナー部分のチッピングが防止される。
【００４１】
本開示は、四角形の割出し可能ドリルインサートを提供し、このドリルインサートは、力をドリル軸に向け、それによりドリルのその中心からの横流れを排除するように複数の部分刃に分割された４つの同一の切れ刃を有する。
【００４２】
本開示は、四角形の割出し可能ドリルインサートを提供し、このドリルインサートは、その底部に、インサートによって穴あけされた穴の研磨を防止する面取り部を有する。
【００４３】
本開示は、四角形の割出し可能ドリルインサートを提供し、このドリルインサートは、その上面に、穴あけ工程中に生成される削り屑を切断するための突出部を有する。
【００４４】
本開示は、四角形の割出し可能ドリルインサートを提供し、このドリルインサートは、ドリルインサートの４つのコーナー部分に凹状の湾曲を有し、それにより、インサートの一部がドリル本体の軸と交差するようにインサートが位置付けられたとき、ドリルインサートのチッピングが防止される。
【００４５】
等価物
本明細書中、実質的にあらゆる複数形および／または単数形の用語の使用に関して、当業者であれば、複数形から単数形へ、および／または単数形から複数形へ、文脈および／または使用に適切なように、置き換えることができる。本明細書中、明確さのため、様々な単数形／複数形の置換えが、明示的に記載される場合がある。
【００４６】
一般に、本明細書で、および特に添付の請求項（例えば添付の請求項の本文）で使用される用語は、一般に「開かれた」用語として意図されることは当業者に理解されよう（例えば用語「を含む（ｉｎｃｌｕｄｉｎｇ）」は「を限定しないで含む（ｉｎｃｌｕｄｉｎｇ  ｂｕｔ  ｎｏｔ  ｌｉｍｉｔｅｄ  ｔｏ）」として解釈されるべきであり、用語「を有する（ｈａｖｉｎｇ）」は「を少なくとも有する（ｈａｖｉｎｇ  ａｔ  ｌｅａｓｔ）」と解釈されるべきであり、用語「を含む（ｉｎｃｌｕｄｅｓ）」は「を限定しないで含む（ｉｎｃｌｕｄｅｓ  ｂｕｔ  ｉｓ  ｎｏｔ  ｌｉｍｉｔｅｄ  ｔｏ）」として解釈されるべきである、等）。さらに、導入される請求項の記述の特定数が意図される場合、そのような意図は請求項中に明示的に記述され、そのような記述のない場合、そのような意図は存在しないことは当業者に理解されよう。例えば、理解の補助として、以下の添付の請求項は、請求項の記述を導入するために、導入句「少なくとも１つ（ａｔ  ｌｅａｓｔ  ｏｎｅ）」および「１つまたは複数（ｏｎｅ  ｏｒ  ｍｏｒｅ）」の使用を含むことがある。しかしながら、そのような句の使用は、不定冠詞「ａ」または「ａｎ」による請求項の記述の導入が、そのような導入される請求項の記述を含むあらゆる特定請求項を、同じ請求項が導入句「１つまたは複数」または「少なくとも１つ」、および「ａ」または「ａｎ」などの不定冠詞を含んでいるときでさえ、１つだけそのような記述を含む発明に制限することを暗示するように解釈されるべきではなく（例えば、「ａ」および／または「ａｎ」は一般に「少なくとも１つ」または「１つまたは複数」を意味するように解釈されるべきである）、同じことが、請求項の記述を導入するために使用される定冠詞の使用にもあてはまる。さらに、導入される請求項の記述の特定数が、たとえ明示的に記述されているとしても、当業者であれば、そのような記述は、少なくとも記述された数を一般に意味するものとして解釈されるべきであることを理解するであろう（例えば、「２つの記述」という最小限の記述は、他の修飾語のない場合、少なくとも２つの記述、または、２つ以上の記述、を一般に意味する）。さらに、「Ａ、Ｂ、およびＣの少なくとも１つ、など」に類似する伝統的表現法が使用される例において、一般にそのような構成は、当業者がその伝統的表現法を理解するであろう感覚において意図される（例えば、「Ａ、ＢおよびＣの少なくとも１つを有する装置」は、Ａを単独で、Ｂを単独で、Ｃを単独で、ＡおよびＢを一緒に、ＡおよびＣを一緒に、ＢおよびＣを一緒に、および／またはＡ、ＢおよびＣを一緒に有する装置を限定しないで含むであろう、等）。「Ａ、Ｂ、またはＣの少なくとも１つ、など」に類似する伝統的表現法が使用される例において、一般にそのような構成は、当業者がその伝統的表現法を理解するであろう感覚において意図される（例えば、「Ａ、ＢまたはＣの少なくとも１つを有する装置」は、Ａを単独で、Ｂを単独で、Ｃを単独で、ＡおよびＢを一緒に、ＡおよびＣを一緒に、ＢおよびＣを一緒に、および／またはＡ、ＢおよびＣを一緒に有する装置を限定しないで含むであろう、等）。さらに、２つ以上の代替語を提示する事実上あらゆる選言的な語および／または句は、明細書、請求項、または図面中にかかわらず、それら用語の１つ、それら用語のどちらか、または両方の用語を含む可能性を期待するように理解すべきであることは当業者に理解されるであろう。例えば、句「ＡまたはＢ」は、「Ａ」または「Ｂ」または「ＡおよびＢ」の可能性を含むように理解されよう。
【００４７】
様々な態様および実施形態を本明細書に開示したが、他の態様および実施形態が当業者に明らかであろう。本明細書に開示した様々な態様および実施形態は例示を目的とし、限定することを意図せず、真の範囲および趣旨は以下の請求項によって示される。
【００４８】
上記の構成要素の全ては、単独または組合せにかかわらず、本発明に不可欠なものであるとして特許請求され、特に、図面に示した詳細および図面中の参照番号が以下に提示される。
【符号の説明】
【００４９】
１００  ドリルインサート
１０１  インサートの上面
１０２  インサートの側面
１０２ａ  側面のコーナー部分
１０３  切れ刃
１０４  凹状湾曲部分刃
１０５  凸状先端部分
１０６  第１部分刃
１０７  凹状移行湾曲
１０８  第２部分刃
１０９  凸状部分刃
１１０  第３部分刃
１１１  通し穴
１１１ａ  通し穴の受口部分
１１１ｂ  通し穴の段付部分
１１２  突出部
１１３  面取り部分
２０１  底面
３０１  仮想内接面
５００  ドリル工具
５０１  ドリル工具のシャンク
５０２  ドリル本体
５０３  螺旋溝
５０４  ドリル軸
６０１  挿入ねじ
６０２  中央ポケット
Ａ−Ａ  ドリルインサートの垂直軸
Ｂ−Ｂ  ドリルインサートの水平軸
【図１】
0005990584.tif 000002
【図２】
0005990584.tif 000003
【図３】
0005990584.tif 000004
【図４】
0005990584.tif 000005
【図５】
0005990584.tif 000006
【図６】
0005990584.tif 000007
【図７】
0005990584.tif 000008
【図８】
0005990584.tif 000009